(57)【要約】【課題】トレーを移動する際の振動やトレーの変形等によりパックが支持片からずれ落ちることなく、確実にパックを掛架しながらパックの底面をトレーの底面から浮かせ、中の青果が傷むことがないようなトレーを提供することを目的とする。【解決手段】一枚の段ボール１００から折り上げられた一体形の箱４００の中に、十字型中仕切り５００が挿嵌され、かつ、パック受けが形成されたトレー６００であって、前記箱４００には側壁２と側壁３とを備え、前記十字型中仕切り５００には縦仕切片２１と横仕切片３１とを備え、前記側壁３には二重折り目Ｊを介して側壁３ａ、３ｂとを備え、前記パック受けは、前記側壁３ａを前記箱４００の内方へ折り曲げると同時に形成される支持片６と前記横仕切片３１に形成される支持片３５とから構成されるとともに、前記パック受けはパック７００の周縁を掛架支持することを特徴とする中仕切りを備えたトレー。【選択図】      図１６
2006076612.tif 000002
【特許請求の範囲】
【請求項１】
一枚の段ボール１００から折り上げられた一体形の箱４００の中に、十字型中仕切り５００が挿嵌され、かつ、パック受けが形成されたトレー６００であって、
前記箱４００には側壁２と側壁３とを備え、
前記十字型中仕切り５００には縦仕切片２１と横仕切片３１とを備え、
前記側壁３には二重折り目Ｊを介して側壁３ａ、３ｂとを備え、
前記パック受けは、前記側壁３ａを前記箱４００の内方へ折り曲げると同時に形成される支持片６と前記横仕切片３１に形成される支持片３５とから構成されるとともに、
前記パック受けはパック７００の周縁を掛架支持することを特徴とする中仕切りを備えたトレー。
【請求項２】
前記パック受けは、前記側壁３ａを前記箱４００の内方へ折り曲げると同時に形成される支持片５、６と前記横仕切片３１に形成される支持片３５とから構成されることを特徴とする請求項１に記載の中仕切りを備えたトレー。
【請求項３】
前記支持片６は、山形状のストッパー片７の両側に形成されることを特徴とする請求項１に記載の中仕切りを備えたトレー。
【請求項４】
前記支持片６は、ストッパー片７の片側に形成されることを特徴とする請求項２に記載の中仕切りを備えたトレー。
【請求項５】
前記横仕切片３１は、トレー６００の底面１から起立して形成されることを特徴とする請求項１または２に記載の中仕切りを備えたトレー。
【請求項６】
前記ストッパー片７は先端部が鋭角状に形成され、
トレー６００を段積みした時、前記ストッパー片７がトレーの底面１に設けた係止穴９に嵌合することを特徴とする請求項３または４に記載の中仕切りを備えたトレー。
【発明の詳細な説明】
【技術分野】
【０００１】
本発明は、一枚の段ボールから折り上げた一体形の箱と、別個に折り上げた中仕切とを組み合わせたトレーに関する。特に、複数の仕切り区画毎に青果物等用のパック受けを形成することにより、パックを掛架してパックの底面をトレーの底面から浮かし、青果の重みで段積みの青果が潰されて傷むことが無いようにするトレーを提供する。
【背景技術】
【０００２】
本件出願人は、先に、苺パック用トレーについて、青果物等用のパック受けを形成してパックを掛架し、パックの底面をトレーの底面から浮かす発明を提案している（特許文献１）。
【０００３】
【特許文献１】特願２００３−３５１９１６号
【０００４】
上記特許文献には、以下に示すような提案をしている。即ち、一枚の段ボールから折り上げられた一体形の箱の中に、十字型中仕切りを構成するトレーであって、パック受けは、前記十字型中仕切りの横仕切りの前後で、かつ、この横仕切りに略平行に形成される支持片等から構成される。
【発明の開示】
【発明が解決しようとする課題】
【０００５】
しかしながら、上記の特許文献１の提案では次のような問題があった。
【０００６】
即ち、パックを掛架しパックの底面をトレーの底面から浮かすための支持片の構造が複雑であること、および一部の支持片は仕切片から形成されること等のため、支持片を折り込む作業がやり難く時間がかかる。また、トレーを移動する際の振動、トレーの変形等によりパックが支持片からずれて脱落し易いという問題を抱えていた。
【０００７】
本発明は上記事情に鑑みて、段ボールからトレー用の箱を折り上げると同時に、パックを掛架支持するための支持片が簡単に形成されるとともに、所定の位置に確実に形成されるようにすることによって、トレーを移動する際の振動やトレーの変形等によりパックが支持片からずれ落ちることなく、確実にパックを掛架しながらパックの底面をトレーの底面から浮かせ、中の青果が傷むことがないようなトレーを提供することを目的とする。
【課題を解決するための手段】
【０００８】
上記目的を達成するために、請求項１の発明は、一枚の段ボール１００から折り上げられた一体形の箱４００の中に、十字型中仕切り５００が挿嵌され、かつ、パック受けが形成されたトレー６００であって、前記箱４００には側壁２と側壁３とを備え、前記十字型中仕切り５００には縦仕切片２１と横仕切片３１とを備え、前記側壁３には二重折り目Ｊを介して側壁３ａ、３ｂとを備え、前記パック受けは、前記側壁３ａを前記箱４００の内方へ折り曲げると同時に形成される支持片６と前記横仕切片３１に形成される支持片３５とから構成されるとともに、前記パック受けはパック７００の周縁を掛架支持することを特徴とする中仕切りを備えたトレーである。
【０００９】
請求項２の発明は、請求項１の発明の上記特徴に加えて、前記パック受けは、前記側壁３ａを前記箱４００の内方へ折り曲げると同時に形成される支持片５、６と前記横仕切片３１に形成される支持片３５とから構成されることを特徴とする請求項１に記載の中仕切りを備えたトレーである。
【００１０】
請求項３の発明は、請求項１の発明の上記特徴に加えて、前記支持片６は、山形状のストッパー片７の両側に形成されることを特徴とする請求項１に記載の中仕切りを備えたトレーである。
【００１１】
請求項４の発明は、請求項２の発明の上記特徴に加えて、前記支持片６は、ストッパー片７の片側に形成されることを特徴とする中仕切りを備えたトレーである。
【００１２】
請求項５の発明は、請求項１または２の発明の上記特徴に加えて、前記横仕切片３１は、トレー６００の底面１から起立して形成されることを特徴とする中仕切りを備えたトレーである。
【００１３】
請求項６の発明は、請求項３または４の発明の上記特徴に加えて、前記ストッパー片７は先端部が鋭角状に形成され、トレー６００を段積みした時、前記ストッパー片７がトレーの底面１に設けた係止穴９に嵌合することを特徴とする中仕切りを備えたトレーである。
【発明の効果】
【００１４】
本発明にかかわる青果等用のパック用トレーによれば、複数の仕切り区画毎に、各種形状の支持片から構成されるパック受けが形成される。そして、そのパック受けによって、パックの周縁を掛架支持し、パックの底を浮かせるようにするので、トレーの底面に対して直接青果等の重みが掛かるのを避け、青果が押し潰されて傷むようなことが無くなる。また、パック受けと同時にストッパーが形成されるので、これによりトレーを段積みする際のずれや荷崩れを防止する効果を奏するものである。
【発明を実施するための最良の形態】
【００１５】
本発明の実施の形態を、添付図面に例示した本発明の実施例に基づいて以下に具体的に説明する。
【実施例１】
【００１６】
先ず、本発明の実施例１ついて、図１〜図８を参照しながら説明する。図１はパック７００の斜視図である。図２は、本実施例の箱４００の展開図で、段ボール１００である。図３は、同上、トレーの縦仕切りの展開図で、段ボール２００である。図４は、同上、トレーの横仕切りの展開図で、段ボール３００である。図５は、同上、折り上がったトレー６００を示す斜視図である。図６は、同上、折り上がったトレー６００の一箇所に、パック７００を載せた状態を示す斜視図である。図７は、同上、折上がったトレー６００の四隅に形成された支持片およびストッパー片の拡大図である。図８は、同上、折上がったトレー６００の底面に形成され、底面の外側から見た係止穴の拡大図である。
【００１７】
ここで、パック７００とは、図１に示すように、底７１、横縁７２、隅縁７３、縦縁７４および周壁７５から構成され、青果等をパック詰めするための入れ物となる。他の実施例についても同様である。
【００１８】
また、箱４００とは、ほぼ矩形状をした段ボール１００から、底面１を囲み、折り目に沿って、側壁２、２および側壁３、３を起立した直方体状のもので、後述する十字形中仕切り５００を組み込む前の状態のものである。他の実施例についても同様である。
【００１９】
また、パック受けとは、側壁３、３を箱４００の内方へ折り曲げると同時に形成される支持片および横仕切片に形成される支持片とから構成され、パック７００の周縁を掛架支持するものである。他の実施例についても同様である。
【００２０】
図２に示す、ほぼ矩形状をした段ボール１００の側壁３、３方向を上下方向、側壁２、２方向を左右方向とする。他の実施例についても同様である。図は、後述する箱４００の展開図で、上下および左右対称である。実施例３についても同様である。図の輪郭内の点線は折り目を、直線で示したものは切れ目を示す。これらのことは、他の実施例についても同様である。段ボール１００には、所定の複数箇所に折り目や切れ目を設けてあるので、これらの設け方について説明する。中央部の左右方向に主折り目Ｋを上下に設け、これらの外側に、主折り目Ｋに平行に二重折り目Ｊを設ける。また、折り目Ｋと直角に、上下方向に主折り目Ｌを左右に設ける。図示のように、段ボール１００は、その中央部を占める方形域を底面１とし、その左右には、主折り目Ｌを介して、箱４００の左右側壁となる側壁２、２を連設する。また、上下には、主折り目Ｋを介して箱４００の前後側壁となる側壁３、３を連設し、この側壁３、３は二重折り目Ｊを介し上下に側壁３ａ、３ｂに分割される。そして、段ボール１００には、直線で示した切れ目Ａ〜Ｄ、ｎを各所に設ける。
【００２１】
底面１には、主折り目Ｋに沿って、左右に係止穴９を、そしてこの係止穴９の上下部に係止辺１０ａ、１０ｂを設ける。
【００２２】
左右の側壁２、２の左右先端中央部にはストッパー片１３を設ける。ストッパー片１３は、後述するトレー６００を段積みする際、上段のトレーが左右にずれないよう荷崩れを防止する。側壁２、２の上下両側には、折り目Ｎを介して補助片４が連設する。この先端部には、折り目Ｔを介して当接片１２ａを、折り目Ｕを介して当接片１２ｂを設ける。
【００２３】
前後の側壁３、３は、二重折り目Ｊを介して二枚重ね状に折り曲げ、箱４００の二重側壁を形成する。分割された一方の側壁３ａには、左右の外側端部に、折り目Ｓを介してパック受けを形成する支持片５を設ける。また、側壁３、３の二重折り目Ｊに沿って折り目Ｑを介して左右にストッパー片７を設け、そして、これらストッパー片７上方の折り目Ｐを介してそれぞれ支持片６が連設する。この支持片６の輪郭は、切れ目Ａ、折り目Ｒ、切れ目Ｂ、切れ目Ｄ、切れ目Ｃおよび折り目Ｐから構成され、ほぼＬ字状を示す。また、ストッパー片７の輪郭は、切れ目Ａ、折り目Ｐ、切れ目Ｃおよび折り目Ｑから構成され、矩形状を示す。側壁３ａの上方先端部には、左右に係止片８を設ける。
【００２４】
段ボール１００は以上のように構成され、以下に折り上げる手順について説明する。
【００２５】
図２に示すように、底面１を囲むようにして、左右の側壁２、２と上下の側壁３、３をそれぞれ折り目の位置から起立すると、底面１を底にして窪んだ箱状に折り上がる。先ず、側壁２、２を折り目Ｌの位置から底面１に対して直角に起立させ、次に、上下および左右の補助片４を折り目Ｎの位置から観音開き扉を閉じるように内方へ直角に曲げ、次いで、当接片１２ａと１２ｂを内方へ直角に曲げる。次に、側壁３、３を底面１に対して直角に起立させる。この時、分割された一方の側壁３ｂを折り目Ｋの位置から直角に起立させ、次いで、他方の側壁３ａを二重折り目Ｊの位置から内方へ曲げながら補助片４を側壁３ａと３ｂによって挟むようにして折り込む。このようにして、側壁３、３は、側壁３ａを箱４００の内壁とし、側壁３ｂを外壁とする二重壁として形成される。この時、補助片４に設けた当接片１２ａ、１２ｂは、二重壁を形成する側壁３、３の頂面１１に対し内側から当接するので、二重壁を形成する側壁３、３の頂面１１は内側から補強され、トレーを段積みした際の上からの荷重を受ける。
【００２６】
側壁３、３を折り込む際、主折り目Ｋに次いで二重折り目Ｊの位置から側壁３ａを内方へ折り曲げる。この時、支持片５を折り目Ｓの位置から折り曲げ、支持片５の先端部を開き気味に側壁２、２に当接させながら拡開させると、パックを掛架支持する支持片５がトレーの四隅に形成される（図５、６に示す）。この支持片５が開き気味に内方から側壁２、２に当接するのは、切れ目ｎに沿って切り離れ、図２に示すように支持片５の左右先端が主折り目Ｌから僅かばかり外方にはみ出ているからである。次に、支持片６とストッパー片７の形成について説明する。支持片６とストッパー片７との輪郭は、切れ目Ａ、折り目Ｒ、切れ目Ｂ、切れ目Ｄ、切れ目Ｃおよび折り目Ｑから形成される。従って、側壁３ａを二重折り目Ｊの位置から箱の内側になるよう折り込む際、一緒に支持片６とストッパー片７はこれらの切れ目に沿って切り離れ、それぞれ折り目の位置から曲がる。即ち、ストッパー片７は切れ目Ａ、Ｃに沿って折り目Ｑの位置から曲がり、次いで、折り目Ｐの位置から曲がって山形状に形成される。この状態の左側のみを図７に示す。ストッパー片７の先端部は折り目Ｑの位置からストッパー片７と側壁３ｂが前後に折り曲げられた箇所に相当し、尖った鋭角状に形成される。同時に、切れ目Ａ、Ｂ、Ｄ、Ｃに沿って支持片６は折り目Ｒの位置から曲がり、図７に示すように箱の内方へ開き気味に形成される。
【００２７】
箱４００が折り上げられる過程について、補足説明する。補助片４を折り目Ｎの位置から内方へ観音開き扉を閉じるように直角に曲げた後、補助片４に備える係止片１４（図２に示す）は、底面１に設けられた四箇所の係止孔９の係止辺１０ａ（図２に示す）に沿って挿嵌される。同様に、側壁３ａを内側に折り込む際、先端部の係止片８（図２に示す）は、底面１に設けられた係止孔９の係止辺１０ｂ（図２に示す）に沿って挿嵌される。この係止穴９に係止片８、１４が係止した状態を底面１の裏側からみた拡大図として図８に示す。このように、これらの係止片が係止穴９に係止するので前後、左右の側壁がトレーの底面１に固着される。他の実施例についても同様である。このようにして、十字型中仕切りを入れる前の状態の箱４００（図５に示す）が完成する。図５、６において、十字型中仕切り、箱およびトレーに関し、側壁３、３方向を前後方向とし、側壁２、２方向を左右方向とし、底面１の表裏方向を上下とする。他の実施例についても同様である。
【００２８】
次に、十字形中仕切りについて、以下に説明する。図３に示すように、縦仕切り段ボール２００は、縦仕切片２１の前後方向中央部に二箇所の切欠き２２を設ける。一方、横仕切り段ボール３００は、図４に示すように前後および左右対称で、実施例３についても同様である。横仕切片３１は中央の切れ目Ｆによって前後に分割される。左右の頂面３２の前後に折り目Ｘ、切れ目Ｆに直角に切れ目Ｇを設ける。中央の頂面３３の前後に折り目Ｙ、切れ目Ｆに直角に切れ目Ｈを設ける。そして、頂面３３の中央部に切欠き３４を設ける。十字形中仕切り５００を構成する部材は以上からなり、次に、折り上げる手順について説明する。先ず、横仕切り段ボール３００の切れ目Ｆに沿って、折り目Ｘ、Ｙの位置から下方へ直角に折り曲げると、切れ目Ｆが開いて前後に横仕切片３１が直角に起立する。この横仕切片３１の先端部はパックを掛架支持する支持片３５を兼ねる。次いで、縦仕切片２１を折り曲げた横仕切片３１に上から連結する。この時、縦仕切片２１を横仕切片３１に交差させながら、二箇所の切欠き２２を横仕切片３１に設けた切欠き３４に上から挿入、咬合することにより、十字形中仕切り５００（図５、６に示す）ができ上がる。
【００２９】
図５に示すように、十字形中仕切り５００を、折り上げた箱４００の側壁の内側に沿って、上から底面１の上に挿嵌するとトレー６００が出来上がる。また、この時、縦仕切片２１の前後の先端および横仕切片３１の左右の先端が箱４００の側壁の内側に当接するので十字形中仕切り５００の位置が決まる。
【００３０】
以上のようにして段ボール１００、２００、および３００からトレー６００へと折り上げられ、次に図５、６、７および８を参照しながらパックを支えるパック受けおよびトレーの段積みの際に使用するストッパー片の形成と作用について説明する。なお、トレー６００は、前後および左右対称であり、実施例３についても同様である。
【００３１】
パック受けは側壁３ａを内方へ折り曲げる過程で拡開されながら形成された支持片５、側壁３ａを曲げる際に箱４００の内方へ開き気味に形成された支持片６および十字型中仕切り５００の横仕切片３１に形成される支持片３５から構成される。図６には、トレー６００の四半区画の一つにパック７００を載せた状態を示す。一方、前述したようにパック７００は、底７１、横縁７２、隅縁７３、縦縁７４等から構成される。トレーの四隅に形成される支持片５はパックの隅縁７３を受け、前後の側壁に形成される支持片６は横縁７２を受け、そして、十字型中仕切り５００の前後に形成される支持片３５も横縁７２を受ける。以上のようにして、トレー６００の四半区画毎にパック受けが形成される。ここで、それぞれの支持片の、底面１からの高さ寸法は、パック７００の深さ寸法より大きい。そのため、パックの縁部は、支持片５、６、および３５によって支えられながら、パックの底面７１は、トレー６００の底面１に接触することなく、浮いた状態を保つことができる。
【００３２】
側壁３ａを箱４００の内側になるように折り曲げる時、ストッパー片７は折り目Ｑの位置から曲がり、次いで、折り目Ｐの位置から曲がって山形状に形成される。図７に示すように、折り目Ｑは尖った鋭角状に形成される。トレー６００を段積みした際、このストッパー片７の折り目Ｑの部分が底面１の裏側に形成された係止穴９に嵌合する。このストッパー片７の先端は鋭角に尖っているので、係止穴９に嵌合し易く、段積みの際トレーが前後にずれたりして荷崩れする恐れがない。図８に、底面１に形成される係止穴９の嵌合隙間を裏側から見た拡大図として示す。
【００３３】
以上のように、側壁３、３を折り曲げる時に自動的にパックの支持片の一部が形成され、そして、同時にストッパー片が鋭角に形成されることにより、トレーを段積みする際トレー同士の嵌合を確実にすることができるのが本実施例の特徴である。他の実施例についても同様である。
【実施例２】
【００３４】
次に、本発明の実施例２ついて、図９〜図１２を参照しながら説明する。図９は、本実施例の箱４００の展開図で、段ボール１００である。図１０は、同上、トレーの縦仕切りの展開図で、段ボール２００である。図１１は、同上、折り上がったトレー６００を示す斜視図である。図１２は、同上、折り上がったトレー６００の一箇所に、パック７００を載せた状態を示す斜視図である。
【００３５】
本実施例の実施例１との主たる相違点は、十字形中仕切りの横仕切片が箱の底面から起立、形成されるところにある。
【００３６】
図９に示す段ボール１００は、底面１のみが実施例１と異なる。図に示すように、底面１には、中央部に折り目ＶとＷが左右にずれながら向き合い、この上下に横仕切片３１、３１を設ける。これらの輪郭は切れ目ｅ、ｆに沿った形状である。これらの横仕切片３１には、それぞれ切欠き１５を設ける。この段ボール１００から箱４００への折り上げは実施例１とほぼ同様であるが、異なるのは、底面１に設けた折り目ＶとＷの位置から横仕切片３１、３１が直角に起立し、これらの横仕切片３１、３１の先端部が、パックを掛架支持する支持片３５、３５を兼ねるところにある（図１０、１１に示す）。なお、左右の側壁２、２の左右先端にはストッパー片１７を各二箇所設ける。実施例１と同様、ストッパー片１７は、後述するトレー６００を段積みする際、上段のトレーが左右にずれないよう荷崩れを防止する。
【００３７】
次に、十字形中仕切りについて、以下に説明する。図１０に、縦仕切り段ボール２００を示し、実施例１と同じである。この縦仕切り段ボール２００を、箱４００の底面１に起立、形成された横仕切片３１、３１に上から連結する。この時、縦仕切片２１を横仕切片３１、３１に交差させながら、二箇所の切欠き２２を横仕切片３１、３１に設けた切欠き１５、１５に上から挿入、咬合することにより、十字形中仕切り５００（図１１、１２に示す）ができ上がる。
【００３８】
以上のようにして段ボール１００および２００からトレー６００へと折り上げられ、次に図１１、１２を参照しながらパック受けの形成、作用について説明する。なお、ストッパー片７については実施例１と同様である。
【００３９】
側壁３ａを箱４００の内方へ折り曲げる過程で拡開された支持片５および側壁３ａを曲げる際に開き気味に形成された支持片６がパック受けの一部を構成することは実施例１と同様である。パック受けは、これらと底面１から起立した横仕切片３１に形成される支持片３５から構成される。図１２には、トレー６００の四半区画の一つにパック７００を載せた状態を示す。トレーの四隅に形成される支持片５はパックの隅縁７３を受け、支持片６は横縁７２を受け、そして、支持片３５、３５も横縁７２を受ける。実施例１と同様、パックの縁部は、支持片５、６、および３５によって支えられながら、パックの底面７１は、トレー６００の底面１に接触することなく、浮いた状態を保つことができる。このように、本実施例では、パックの縁部は、支持片５、６、および３５によって支えられるが、支持片５を設けること無く、支持片６および底面１から起立した横仕切片３１に形成される支持片３５によってパックの縁部を支えることも可能であり、パックの底面７１は、トレー６００の底面１に接触することなく、浮いた状態を保つことができる。
【００４０】
以上のように、底面１の一部を切り抜き、これらを起立、形成された横仕切片をパックの支持片として兼用できることが本実施例の特徴である。このため、別個に段ボールから横仕切片を作る必要がないので、段ボールの使用量を削減でき経済的である。
【実施例３】
【００４１】
次に、本発明の実施例３について、図１３〜図１８を参照しながら説明する。図１３は、本実施例の箱４００の展開図で、段ボール１００である。図１４は、同上、トレーの縦仕切りの展開図で、段ボール２００である。図１５は、同上、トレーの横仕切りの展開図で、段ボール３００である。図１６は、同上、折り上がったトレー６００を示す斜視図である。図１７は、同上、折り上がったトレー６００の一箇所に、パック７００を載せた状態を示す斜視図である。図１８は、同上、折上がったトレー６００の四隅に形成された支持片およびストッパー片の拡大図である。
【００４２】
本実施例の実施例１との主たる相違点は、前後の側壁を折り上げる際にパックの支持片がストッパー片の左右両側に自動的に形成されること、そして、十字形中仕切りの縦仕切片が前後の側壁に係止されるところにある。
【００４３】
図１３に示す段ボール１００は、側壁３、３の分割された一方の側壁３ａを箱４００の内方へ曲げる際に、支持片６が箱４００の内方へ開き気味に実施例１の倍数だけ形成される。図に示すように、側壁３、３の二重折り目Ｊに沿って折り目Ｑを介して左右にストッパー片７を設け、そして、これらストッパー片７上方の折り目Ｐを介してそれぞれ両側に支持片６が連設する。この支持片６の輪郭は、切れ目ｋ、折り目Ｒ、切れ目ｈ、ｍ、Ｆ、折り目Ｐ、切れ目Ｄおよび切れ目ｍから構成され、ほぼコの字状を示す。また、ストッパー片７の輪郭は、切れ目Ｄ、折り目Ｐ、切れ目Ｆおよび折り目Ｑから構成され、矩形状を示す。そして、側壁３、３の頂辺１１の中央部に切欠き１６を設けるところが実施例１と異なる。
【００４４】
側壁３、３を折り込む際、支持片６の形成箇所が実施例１と異なる。側壁３ａを二重折り目Ｊの位置から箱の内側になるよう折り込む際、一緒に支持片６とストッパー片７は上記した切れ目に沿って切り離れ、それぞれ折り目の位置から曲がる。即ち、ストッパー片７は折り目Ｑの位置から曲がり、次いで、折り目Ｐの位置から曲がる。この状態の左側のみを図１８に示す。ストッパー片７の先端部は折り目Ｑの位置からストッパー片７と側壁３ｂが前後に折り曲げられた箇所に相当し、尖った鋭角状に形成される。一方、支持片６の輪郭は、上記の複数の切れ目により構成されているので、図１８に示すように、支持片６は折り目Ｒの位置から曲げられ、ストッパー片７の左右両側に、そして、箱４００の内方へ開き気味に形成される。
【００４５】
次に、十字形中仕切りについて、以下に説明する。図１４に示すように、縦仕切り段ボール２００は、縦仕切片２１の縦方向中央部に二箇所の切欠き２２を設け、そして、前後両端部に係止片２３と切欠き２４を設ける。一方、横仕切り段ボール３００は図１５に示すように、実施例１と同様である。次に、折り上げる手順について説明する。縦仕切片２１を折り曲げた横仕切片３１に連結する。この際、縦仕切片を上から横仕切片に交差させながら、二箇所に切欠き２２を横仕切片３１に設けた切欠き３４に上から挿入、咬合することにより、十字形中仕切り５００（図１６、１７に示す）ができ上がる。
【００４６】
十字形中仕切り５００を、折り上げた箱４００の側壁の内側に沿って、上から底面１の上に挿嵌するとトレー６００が出来上がる。この時、縦仕切片の両先端部の切り欠き２４を側壁３、３の頂面１１の中央部に設けた切欠き１６（図１３に示す）へ上から挿入、咬合する。この状態を図１６に示す。このようにして、縦仕切片２１が両側壁３、３に係止され、十字形仕切り５００の前後および左右方向の位置が決まる。
【００４７】
以上のようにして段ボール１００、２００、および３００からトレー６００へと折り上げられ、次に図１６、１７、１８を参照しながらパック受けの形成、作用について説明する。なお、ストッパー片については実施例１と同様である。
【００４８】
パック受けは側壁３ａを箱４００の内方へ折り曲げる際に形成された支持片６および十字型中仕切り５００の横仕切片３１に形成される支持片３５から構成される。図１７には、トレー６００の四半区画の一つにパック７００を載せた状態を示す。トレーの側壁３、３に形成される支持片６はパックの横縁７２を受け、そして、十字型中仕切り５００の前後に形成される支持片３５も横縁７２を受ける。実施例１と同様、パックの縁部は、ストッパー片７の左右両側に形成される支持片６、および３５によって支えられながら、パックの底面７１は、トレー６００の底面１に接触することなく、浮いた状態を保つことができる。
【００４９】
以上のように、側壁３、３を折り曲げる際に形成されたストッパー片の左右両側にパックを掛架する支持片が形成されることが本実施例の特徴である。また、十字形中仕切りを構成する縦仕切片の前後先端部が前後の側壁３、３に係止されるので、十字形中仕切りの前後、左右方向の位置決めをできることが特徴である。
【産業上の利用可能性】
【００５０】
本発明の使途は、苺、葡萄、杏子、サクランボ、無花果、枇杷等の青果用のトレーに限らず、卵、菓子等の用途に使っても勿論よい。段ボールを使っているが、段ボール以外の各種型紙や、必要に応じてプラスチック等を用いても勿論よい。
【図面の簡単な説明】
【００５１】
【図１】パック７００の斜視図である。
【図２】本発明の実施例１の箱４００の展開図で、段ボール１００である。
【図３】同上、トレーの縦仕切り段ボールの展開図である。
【図４】同上、トレーの横仕切り段ボールの展開図である。
【図５】同上、折上がったトレー６００を示す斜視図である。
【図６】同上、折上がったトレー６００の一箇所に、パック７００を載せた状態を示す斜視図である。
【図７】同上、折上がったトレー６００の四隅に形成された支持片およびストッパー片の拡大図である。
【図８】同上、折上がったトレー６００の底面に形成され、底面の外側から見た係止穴の拡大図である。
【図９】本発明の実施例２の箱４００の展開図で、段ボール１００である。
【図１０】同上、トレーの縦仕切り段ボールの展開図である。
【図１１】同上、折上がったトレー６００を示す斜視図である。
【図１２】同上、折上がったトレー６００の一箇所に、パック７００を載せた状態を示す斜視図である。
【図１３】本発明の実施例３の箱４００の展開図で、段ボール１００である。
【図１４】同上、トレーの縦仕切り段ボールの展開図である。
【図１５】同上、トレーの横仕切り段ボールの展開図である。
【図１６】同上、折上がったトレー６００を示す斜視図である。
【図１７】同上、折上がったトレー６００の一箇所に、パック７００を載せた状態を示す斜視図である。
【図１８】同上、折上がったトレー６００の四隅に形成された支持片およびストッパー片の拡大図である。
【符号の説明】
【００５２】
１００  段ボール
２００  縦仕切り段ボール
３００  横仕切り段ボール
４００  箱
５００  十字形中仕切り
６００  トレー
７００  パック
１  底面
２  側壁
３  側壁
３ａ  側壁
３ｂ  側壁
４  補助片
５  支持片
６  支持片
７  ストッパー片
８  係止片
９  係止穴
１０  係止辺
１０ａ  係止辺
１０ｂ  係止辺
１１  頂面
１２  当接片
１２ａ  当接片
１２ｂ  当接片
１３  ストッパー片
１４  係止片
１５  切欠き
１６  切欠き
１７  ストッパー片
２１  縦仕切片
２２  切欠き
２３  係止片
２４  切欠き
３１  横仕切片
３２  頂面
３３  頂面
３４  切欠き
３５  支持片
７１  底
７２  横縁
７３  隅縁
７４  縦縁
７５  周壁
Ａ〜Ｈ、ｅ、ｆ、ｈ、ｋ、ｍ、ｎ  切れ目
Ｊ  二重折り目
Ｋ  主折り目
Ｌ  主折り目
Ｎ〜Ｙ  折り目
【図１】
2006076612.tif 000003
【図２】
2006076612.tif 000004
【図３】
2006076612.tif 000005
【図４】
2006076612.tif 000006
【図５】
2006076612.tif 000007
【図６】
2006076612.tif 000008
【図７】
2006076612.tif 000009
【図８】
2006076612.tif 000010
【図９】
2006076612.tif 000011
【図１０】
2006076612.tif 000012
【図１１】
2006076612.tif 000013
【図１２】
2006076612.tif 000014
【図１３】
2006076612.tif 000015
【図１４】
2006076612.tif 000016
【図１５】
2006076612.tif 000017
【図１６】
2006076612.tif 000018
【図１７】
2006076612.tif 000019
【図１８】
2006076612.tif 000020